(57)【特許請求の範囲】
【請求項１】
物体側から像側へ順に配置された、正または負の屈折力の第１レンズ群、開口絞り、正の屈折力の第２レンズ群から構成される光学系において、
前記第２レンズ群は、物体側から像側へ順に配置された、正レンズ、正レンズ及び負レンズを接合した接合レンズからなる負レンズユニット、物体側が凹でメニスカス形状の第１正レンズ、第２正レンズから構成され、
ｇ線とＦ線に関する部分分散比をθｇＦとして、異常部分分散性ΔθｇＦを、
ΔθｇＦ＝θｇＦ−（０．６４３８−０．００１６８２×νｄ）
と表し、
前記負レンズユニットを構成する正レンズの材料のアッベ数をνｐ、異常部分分散性をΔθｇＦｐ、前記負レンズユニットを構成する負レンズの材料のアッベ数をνｎ、異常部分分散性をΔθｇＦｎ、前記光学系の全系の焦点距離をｆ、前記負レンズユニットの焦点距離をｆｓｇとするとき、
０．７２≦νｐ／νｎ≦１．００
０．００５≦ΔθｇＦｐ−ΔθｇＦｎ≦０．０５０
−０．８≦ｆｓｇ／ｆ≦−０．５
なる条件式を満足することを特徴とする光学系。
【請求項２】
前記負レンズユニットと前記第１正レンズはマージナルコンタクトされており、前記負レンズユニットの像側のレンズ面の曲率半径をＲ１ａ、前記第１正レンズの物体側のレンズ面の曲率半径をＲ２ａとするとき、
｜Ｒ１ａ／Ｒ２ａ｜≦１．７
なる条件式を満足することを特徴とする請求項１の光学系。
【請求項３】
前記第１レンズ群の像側の部分と前記第２レンズ群はフォーカシングに際して一体的に移動することを特徴とする請求項１または２に記載の光学系。
【請求項４】
前記第１レンズ群の像側の部分はフォーカシングに際して移動することを特徴する請求項１または２に記載の光学系。
【請求項５】
前記第１レンズ群は、物体側から像側へ順に配置された、正レンズ、負レンズ、正レンズ、負レンズ、正レンズ、負レンズから構成されることを特徴とする請求項１乃至４のいずれか１項の光学系。
【請求項６】
前記第１レンズ群は、物体側から像側へ順に配置された、負レンズ、正レンズ、負レンズ、正レンズ、負レンズから構成されることを特徴とする請求項１乃至４のいずれか１項の光学系。
【請求項７】
前記第１レンズ群は、物体側から像側へ順に配置された、負レンズ、正レンズ及び該正レンズの像側にある負レンズを接合した接合レンズから構成されることを特徴とする請求項１乃至４のいずれか１項の光学系。
【請求項８】
前記第１レンズ群は、物体側から像側へ順に配置された、負レンズ、正レンズ、負レンズ、正レンズ、負レンズ及び該負レンズの像側にある正レンズを接合した接合レンズから構成されることを特徴とする請求項１乃至４のいずれか１項の光学系。
【請求項９】
物体側から像側へ順に配置された、正または負の屈折力の第１レンズ群、開口絞り、正の屈折力の第２レンズ群から構成される光学系において、
前記第２レンズ群は、物体側から像側へ順に配置された、負レンズ及び該負レンズの像側にある正レンズを接合した接合レンズ、負レンズ及び該負レンズの像側にあると正レンズを接合した接合レンズからなる負レンズユニット、正レンズから構成され、
ｇ線とＦ線に関する部分分散比をθｇＦとして、異常部分分散性ΔθｇＦを、
ΔθｇＦ＝θｇＦ−（０．６４３８−０．００１６８２×νｄ）
と表し、
前記負レンズユニットを構成する正レンズの材料のアッベ数をνｐ、異常部分分散性をΔθｇＦｐ、前記負レンズユニットを構成する負レンズの材料のアッベ数をνｎ、異常部分分散性をΔθｇＦｎ、前記光学系の全系の焦点距離をｆ、前記負レンズユニットの焦点距離をｆｓｇとするとき、
０．７２≦νｐ／νｎ≦１．００
０．００５≦ΔθｇＦｐ−ΔθｇＦｎ≦０．０５０
−０．８≦ｆｓｇ／ｆ≦−０．５
なる条件式を満足することを特徴とする光学系。
【請求項１０】
物体側から像側へ順に配置された、正または負の屈折力の第１レンズ群、開口絞り、正の屈折力の第２レンズ群から構成される光学系において、
前記第１レンズ群は、物体側から像側へ順に配置された、正レンズ、負レンズ、正レンズ、負レンズ、正レンズ、負レンズから構成され、
前記第２レンズ群は、正レンズと負レンズとを接合した接合レンズからなる負レンズユニットを有し、
ｇ線とＦ線に関する部分分散比をθｇＦとして、異常部分分散性ΔθｇＦを、
ΔθｇＦ＝θｇＦ−（０．６４３８−０．００１６８２×νｄ）
と表し、
前記負レンズユニットを構成する正レンズの材料のアッベ数をνｐ、異常部分分散性をΔθｇＦｐ、前記負レンズユニットを構成する負レンズの材料のアッベ数をνｎ、異常部分分散性をΔθｇＦｎ、前記光学系の全系の焦点距離をｆ、前記負レンズユニットの焦点距離をｆｓｇとするとき、
０．７２≦νｐ／νｎ≦１．００
０．００５≦ΔθｇＦｐ−ΔθｇＦｎ≦０．０５０
−０．８≦ｆｓｇ／ｆ≦−０．５
なる条件式を満足することを特徴とする光学系。
【請求項１１】
物体側から像側へ順に配置された、正または負の屈折力の第１レンズ群、開口絞り、正の屈折力の第２レンズ群から構成される光学系において、
前記第１レンズ群は、物体側から像側へ順に配置された、負レンズ、正レンズ、負レンズ、正レンズ、負レンズから構成され、
前記第２レンズ群は、正レンズと負レンズとを接合した接合レンズからなる負レンズユニットを有し、
ｇ線とＦ線に関する部分分散比をθｇＦとして、異常部分分散性ΔθｇＦを、
ΔθｇＦ＝θｇＦ−（０．６４３８−０．００１６８２×νｄ）
と表し、
前記負レンズユニットを構成する正レンズの材料のアッベ数をνｐ、異常部分分散性をΔθｇＦｐ、前記負レンズユニットを構成する負レンズの材料のアッベ数をνｎ、異常部分分散性をΔθｇＦｎ、前記光学系の全系の焦点距離をｆ、前記負レンズユニットの焦点距離をｆｓｇとするとき、
０．７２≦νｐ／νｎ≦１．００
０．００５≦ΔθｇＦｐ−ΔθｇＦｎ≦０．０５０
−０．８≦ｆｓｇ／ｆ≦−０．５
なる条件式を満足することを特徴とする光学系。
【請求項１２】
物体側から像側へ順に配置された、正または負の屈折力の第１レンズ群、開口絞り、正の屈折力の第２レンズ群から構成される光学系において、
前記第１レンズ群は、物体側から像側へ順に配置された、負レンズ、正レンズ及び該正レンズの像側にある負レンズを接合した接合レンズから構成され、
前記第２レンズ群は、正レンズと負レンズとを接合した接合レンズからなる負レンズユニットを有し、
ｇ線とＦ線に関する部分分散比をθｇＦとして、異常部分分散性ΔθｇＦを、ΔθｇＦ＝θｇＦ−（０．６４３８−０．００１６８２×νｄ）
と表し、
前記負レンズユニットを構成する正レンズの材料のアッベ数をνｐ、異常部分分散性をΔθｇＦｐ、前記負レンズユニットを構成する負レンズの材料のアッベ数をνｎ、異常部分分散性をΔθｇＦｎ、前記光学系の全系の焦点距離をｆ、前記負レンズユニットの焦点距離をｆｓｇとするとき、
０．７２≦νｐ／νｎ≦１．００
０．００５≦ΔθｇＦｐ−ΔθｇＦｎ≦０．０５０
−０．８≦ｆｓｇ／ｆ≦−０．５
なる条件式を満足することを特徴とする光学系。
【請求項１３】
物体側から像側へ順に配置された、正または負の屈折力の第１レンズ群、開口絞り、正の屈折力の第２レンズ群から構成される光学系において、
前記第１レンズ群は、物体側から像側へ順に配置された、負レンズ、正レンズ、負レンズ、正レンズ、負レンズ及び該負レンズの像側にある正レンズを接合した接合レンズから構成され
前記第２レンズ群は、正レンズと負レンズとを接合した接合レンズからなる負レンズユニットを有し、
ｇ線とＦ線に関する部分分散比をθｇＦとして、異常部分分散性ΔθｇＦを、
ΔθｇＦ＝θｇＦ−（０．６４３８−０．００１６８２×νｄ）
と表し、
前記負レンズユニットを構成する正レンズの材料のアッベ数をνｐ、異常部分分散性をΔθｇＦｐ、前記負レンズユニットを構成する負レンズの材料のアッベ数をνｎ、異常部分分散性をΔθｇＦｎ、前記光学系の全系の焦点距離をｆ、前記負レンズユニットの焦点距離をｆｓｇとするとき、
０．７２≦νｐ／νｎ≦１．００
０．００５≦ΔθｇＦｐ−ΔθｇＦｎ≦０．０５０
−０．８≦ｆｓｇ／ｆ≦−０．５
なる条件式を満足することを特徴とする光学系。
【請求項１４】
請求項１乃至１３のいずれか１項に記載の光学系と該光学系によって形成された像を受光する撮像素子を有することを特徴とする光学機器。
【発明の詳細な説明】
【技術分野】
【０００１】
本発明は、光学系及びそれを有する光学機器に関し、例えば、銀塩フィルム用カメラ、デジタルスチルカメラ、ビデオカメラ、監視用カメラ、ＴＶカメラ、プロジェクター等に好適なものである。
【背景技術】
【０００２】
近年、デジタルカメラをはじめとする撮像光学系や液晶プロジェクター等の投射光学系においては、広画角でレンズ全長の短い光学系であることが要望されている。ここでレンズ全長とは撮像光学系のときは第１レンズ面から像面までの距離であり、投射光学系のときはスクリーン側の第１レンズ面から被投射画面までの距離をいう。
【０００３】
従来より広角化（広画角化）に有利な光学系として、レトロフォーカス型（ネガティブリード型）の光学系が知られている。このレトロフォーカス型の光学系では、光学系の前方（撮像光学系のときは物体側）（投射光学系ではスクリーン側）に全体として負の屈折力又は正の屈折力の弱いレンズ群を配置している。後方（撮像光学系のときは像面）（投射光学系のときは被投射画面側）に正の屈折力のレンズ群を配置している。これにより全系の広画角化を図りつつ、長いバックフォーカスを得ている。
【０００４】
レトロフォーカス型の光学系は、光学系全体が開口絞りに対して非対称な屈折力配置よりなっている。このため、諸収差の発生が多くなり、特に負の歪曲収差（樽型の歪曲収差）や倍率色収差が多く発生してくる。
【０００５】
従来、レトロフォーカス型の光学系において歪曲収差を補正しつつ、負の倍率色収差を補正する光学系が知られている（特許文献１，２）。特許文献１，２では、瞳近軸光線のレンズ面への入射高（光軸からの距離）ｈが比較的高くなる、開口絞りよりも後方のレンズ群に、蛍石等の異常部分分散を持った低分散材料で構成した正の屈折力のレンズ（正レンズ）を用いている。これにより色収差を補正しつつ広画角化を図っている。
【先行技術文献】
【特許文献】
【０００６】
【特許文献１】特開平０６−０８２６８９号公報
【特許文献２】特開２００２−２８７０３１号公報
【発明の概要】
【発明が解決しようとする課題】
【０００７】
レトロフォーカス型の光学系では、開口絞りの前方に負の屈折力又は正の屈折力の弱いレンズ群が配置され、開口絞りの後方に正の屈折力のレンズ群が配置されており、長いバックフォーカスを確保しつつ広画角化を図るのが容易である。一般に、レトロフォーカス型の光学系において、レンズ全長を短縮しようとするときに生ずる色収差を補正するためには、蛍石のようなアッベ数の大きい低分散で異常部分分散性の材料を用いるのが有効である。
【０００８】
しかしながらレトロフォーカス型の光学系において、異常部分分散性の材料を用いたとしても短波長側の倍率色収差は画角が増加するに従って曲がりをもって発生してくる。このため異常部分分散性の材料を使用して倍率色収差を抑えても、画角の大きな像高が高い位置では、短波長側の倍率色収差の曲がりの分だけ倍率色収差が残存してくる。
【０００９】
レトロフォーカス型の光学系において、広画角化を図りつつ、倍率色収差を良好に補正するには、瞳近軸光線のレンズ面への入射高が高くなる開口絞よりも像側の正の屈折力の後方のレンズ群のレンズ構成を適切に設定することが重要となってくる。この構成が不適切であると、広画角化を図りつつ倍率色収差を良好に補正して画面全体で高い光学性能を得るのが困難になってくる。
【００１０】
本発明は、広画角で、しかも広画角化を図ったときに生ずる倍率色収差を良好に補正し、画面全体にわたり高い光学性能を有する光学系の提供を目的とする。
【課題を解決するための手段】
【００１１】
本発明の光学系は
物体側から像側へ順に配置された、正または負の屈折力の第１レンズ群、開口絞り、正の屈折力の第２レンズ群から構成される光学系において、
前記第２レンズ群は、物体側から像側へ順に配置された、正レンズ、正レンズ及び負レンズを接合した接合レンズからなる負レンズユニット、物体側が凹でメニスカス形状の第１正レンズ、第２正レンズから構成され、
ｇ線とＦ線に関する部分分散比をθｇＦとして、異常部分分散性ΔθｇＦを、
ΔθｇＦ＝θｇＦ−（０．６４３８−０．００１６８２×νｄ）
と表し、
前記負レンズユニットを構成する正レンズの材料のアッベ数をνｐ、異常部分分散性をΔθｇＦｐ、前記負レンズユニットを構成する負レンズの材料のアッベ数をνｎ、異常部分分散性をΔθｇＦｎ、前記光学系の全系の焦点距離をｆ、前記負レンズユニットの焦点距離をｆｓｇとするとき、
０．７２≦νｐ／νｎ≦１．００
０．００５≦ΔθｇＦｐ−ΔθｇＦｎ≦０．０５０
−０．８≦ｆｓｇ／ｆ≦−０．５
なる条件式を満足することを特徴としている。
この他本発明の光学系は
物体側から像側へ順に配置された、正または負の屈折力の第１レンズ群、開口絞り、正の屈折力の第２レンズ群から構成される光学系において、
前記第２レンズ群は、物体側から像側へ順に配置された、負レンズ及び該負レンズの像側にある正レンズを接合した接合レンズ、負レンズ及び該負レンズの像側にあると正レンズを接合した接合レンズからなる負レンズユニット、正レンズから構成され、
ｇ線とＦ線に関する部分分散比をθｇＦとして、異常部分分散性ΔθｇＦを、
ΔθｇＦ＝θｇＦ−（０．６４３８−０．００１６８２×νｄ）
と表し、
前記負レンズユニットを構成する正レンズの材料のアッベ数をνｐ、異常部分分散性をΔθｇＦｐ、前記負レンズユニットを構成する負レンズの材料のアッベ数をνｎ、異常部分分散性をΔθｇＦｎ、前記光学系の全系の焦点距離をｆ、前記負レンズユニットの焦点距離をｆｓｇとするとき、
０．７２≦νｐ／νｎ≦１．００
０．００５≦ΔθｇＦｐ−ΔθｇＦｎ≦０．０５０
−０．８≦ｆｓｇ／ｆ≦−０．５
なる条件式を満足することを特徴としている。
この他本発明の光学系は
物体側から像側へ順に配置された、正または負の屈折力の第１レンズ群、開口絞り、正の屈折力の第２レンズ群から構成される光学系において、
前記第１レンズ群は、物体側から像側へ順に配置された、正レンズ、負レンズ、正レンズ、負レンズ、正レンズ、負レンズから構成され、
前記第２レンズ群は、正レンズと負レンズとを接合した接合レンズからなる負レンズユニットを有し、
ｇ線とＦ線に関する部分分散比をθｇＦとして、異常部分分散性ΔθｇＦを、
ΔθｇＦ＝θｇＦ−（０．６４３８−０．００１６８２×νｄ）
と表し、
前記負レンズユニットを構成する正レンズの材料のアッベ数をνｐ、異常部分分散性をΔθｇＦｐ、前記負レンズユニットを構成する負レンズの材料のアッベ数をνｎ、異常部分分散性をΔθｇＦｎ、前記光学系の全系の焦点距離をｆ、前記負レンズユニットの焦点距離をｆｓｇとするとき、
０．７２≦νｐ／νｎ≦１．００
０．００５≦ΔθｇＦｐ−ΔθｇＦｎ≦０．０５０
−０．８≦ｆｓｇ／ｆ≦−０．５
なる条件式を満足することを特徴としている。
この他本発明の光学系は
物体側から像側へ順に配置された、正または負の屈折力の第１レンズ群、開口絞り、正の屈折力の第２レンズ群から構成される光学系において、
前記第１レンズ群は、物体側から像側へ順に配置された、負レンズ、正レンズ、負レンズ、正レンズ、負レンズから構成され、
前記第２レンズ群は、正レンズと負レンズとを接合した接合レンズからなる負レンズユニットを有し、
ｇ線とＦ線に関する部分分散比をθｇＦとして、異常部分分散性ΔθｇＦを、
ΔθｇＦ＝θｇＦ−（０．６４３８−０．００１６８２×νｄ）
と表し、
前記負レンズユニットを構成する正レンズの材料のアッベ数をνｐ、異常部分分散性をΔθｇＦｐ、前記負レンズユニットを構成する負レンズの材料のアッベ数をνｎ、異常部分分散性をΔθｇＦｎ、前記光学系の全系の焦点距離をｆ、前記負レンズユニットの焦点距離をｆｓｇとするとき、
０．７２≦νｐ／νｎ≦１．００
０．００５≦ΔθｇＦｐ−ΔθｇＦｎ≦０．０５０
−０．８≦ｆｓｇ／ｆ≦−０．５
なる条件式を満足することを特徴としている。
この他本発明の光学系は
物体側から像側へ順に配置された、正または負の屈折力の第１レンズ群、開口絞り、正の屈折力の第２レンズ群から構成される光学系において、
前記第１レンズ群は、物体側から像側へ順に配置された、負レンズ、正レンズ及び該正レンズの像側にある負レンズを接合した接合レンズから構成され、
前記第２レンズ群は、正レンズと負レンズとを接合した接合レンズからなる負レンズユニットを有し、
ｇ線とＦ線に関する部分分散比をθｇＦとして、異常部分分散性ΔθｇＦを、ΔθｇＦ＝θｇＦ−（０．６４３８−０．００１６８２×νｄ）
と表し、
前記負レンズユニットを構成する正レンズの材料のアッベ数をνｐ、異常部分分散性をΔθｇＦｐ、前記負レンズユニットを構成する負レンズの材料のアッベ数をνｎ、異常部分分散性をΔθｇＦｎ、前記光学系の全系の焦点距離をｆ、前記負レンズユニットの焦点距離をｆｓｇとするとき、
０．７２≦νｐ／νｎ≦１．００
０．００５≦ΔθｇＦｐ−ΔθｇＦｎ≦０．０５０
−０．８≦ｆｓｇ／ｆ≦−０．５
なる条件式を満足することを特徴としている。
この他本発明の光学系は
物体側から像側へ順に配置された、正または負の屈折力の第１レンズ群、開口絞り、正の屈折力の第２レンズ群から構成される光学系において、
前記第１レンズ群は、物体側から像側へ順に配置された、負レンズ、正レンズ、負レンズ、正レンズ、負レンズ及び該負レンズの像側にある正レンズを接合した接合レンズから構成され
前記第２レンズ群は、正レンズと負レンズとを接合した接合レンズからなる負レンズユニットを有し、
ｇ線とＦ線に関する部分分散比をθｇＦとして、異常部分分散性ΔθｇＦを、
ΔθｇＦ＝θｇＦ−（０．６４３８−０．００１６８２×νｄ）
と表し、
前記負レンズユニットを構成する正レンズの材料のアッベ数をνｐ、異常部分分散性をΔθｇＦｐ、前記負レンズユニットを構成する負レンズの材料のアッベ数をνｎ、異常部分分散性をΔθｇＦｎ、前記光学系の全系の焦点距離をｆ、前記負レンズユニットの焦点距離をｆｓｇとするとき、
０．７２≦νｐ／νｎ≦１．００
０．００５≦ΔθｇＦｐ−ΔθｇＦｎ≦０．０５０
−０．８≦ｆｓｇ／ｆ≦−０．５
なる条件式を満足することを特徴とする光学系。
【発明の効果】
【００１２】
本発明によれば、広画角で、しかも広画角化を図ったときに生ずる倍率色収差を良好に補正し、画面全体にわたり高い光学性能を有する光学系が得られる。
【図面の簡単な説明】
【００１３】
【図１】本発明の実施例１のレンズ構成図
【図２】本発明の実施例１の無限遠での諸収差図
【図３】本発明の実施例２のレンズ構成図
【図４】本発明の実施例２の無限遠での諸収差図
【図５】本発明の実施例３のレンズ構成図
【図６】本発明の実施例３の無限遠での諸収差図
【図７】本発明の実施例４のレンズ構成図
【図８】本発明の実施例４の無限遠での諸収差図
【図９】本発明の実施例５のレンズ構成図
【図１０】本発明の実施例５の無限遠での諸収差図
【図１１】本発明の実施例６のレンズ構成図
【図１２】本発明の実施例６の無限遠での諸収差図
【図１３】本発明の実施例７のレンズ構成図
【図１４】本発明の実施例７の無限遠での諸収差図
【図１５】本発明の光学系を検証するための説明図
【図１６】本発明の光学系を検証するための説明図
【図１７】本発明の撮像装置の要部概略図
【発明を実施するための形態】
【００１４】
以下に、本発明の好ましい実施の形態を、添付の図面に基づいて詳細に説明する。本発明の光学系は、物体側より像側へ順に、正又は負の屈折力の第１レンズ群、開口絞り、正の屈折力の第２レンズ群を有している。また、本発明の光学系は最も前方のレンズ面を通過する近軸軸上光線の光軸からの高さが、光軸と瞳近軸光線との交点より後方で近軸軸上光線がレンズ面を通過する光軸からの高さの最大値よりも小さいレトロフォーカス型より成っている。
【００１５】
なお、近軸軸上光線とは、光学系全系の焦点距離を１に正規化したとき、光学系の光軸と平行に、光軸からの高さを１として入射させた近軸光線である。また瞳近軸光線とは、光学系全系の焦点距離を１に正規化したとき、光軸に対して−４５°で入射する光線の内、光学系の入射瞳と光軸との交点を通過する近軸光線である。
【００１６】
図１は、本発明の光学系の実施例１のレンズ断面図、図２は実施例１の光学系の無限合焦状態の収差図である。図３は、本発明の光学系の実施例２のレンズ断面図、図４は実施例２の光学系の無限合焦状態の収差図である。図５は、本発明の光学系の実施例３のレンズ断面図、図６は実施例３の光学系の無限合焦状態の収差図である。
【００１７】
図７は、本発明の光学系の実施例４のレンズ断面図、図８は実施例４の光学系の無限合焦状態の収差図である。図９は、本発明の光学系の実施例５のレンズ断面図、図１０は実施例５の光学系の無限合焦状態の収差図である。図１１は、本発明の光学系の実施例６のレンズ断面図、図１２は実施例６の光学系の無限合焦状態の収差図である。図１３は、本発明の光学系の実施例７のレンズ断面図、図１４は実施例７の光学系の無限合焦状態の収差図である。
【００１８】
図１５は本発明の光学系を検証するための説明図である。図１６は本発明の光学系を検証するための説明図である。図１７は本発明の撮像装置の要部概略図である。
【００１９】
各実施例の光学系は、デジタルスチルカメラ、ビデオカメラ、銀塩フィルム用カメラ等の撮像装置（光学装置）に用いられる撮影光学系である。レンズ断面図において、左方が物体側（前方）で、右方が像側（後方）である。尚、各実施例の光学系をプロジェクターなどの投射レンズとして用いても良い。このときは左方がスクリーン、右方が被投射画像となる。
【００２０】
レンズ断面図において、ＬＡは光学系である。光学系ＬＡは開口絞りＳＰを挟んで物体側に正又は負の屈折力の第１レンズ群Ｌ１と像側に正の屈折力の第２レンズ群Ｌ２を有している。ＬＦはフォーカシングに際して移動するフォーカスレンズ群である。
【００２１】
実施例１乃至４，６，７においてフォーカスレンズ群ＬＦは第１レンズ群Ｌ１の一部のレンズ群（第１レンズ群Ｌ１の像側の部分）と第２レンズ群Ｌ２より構成されている。実施例５においてフォーカスレンズ群ＬＦは第１レンズ群Ｌ１の一部のレンズ群（第１レンズ群Ｌ１の像側の部分）より構成されている。フォーカスレンズ群ＬＦは無限遠物体から近距離物体へのフォーカシングに際して矢印の如く一体的に物体側へ移動する。ＬＮは負レンズユニットである。負レンズユニットＬＮは物体側から像側へ順に、負レンズと正レンズを接合した接合レンズ又は物体側から像側へ順に、正レンズと負レンズを接合した接合レンズより構成されている。
【００２２】
ＩＰは像面であり、ビデオカメラやデジタルスチルカメラの撮影光学系として使用する際にはＣＣＤセンサやＣＭＯＳセンサなどの固体撮像素子（光電変換素子）の撮像面が、銀塩フィルム用カメラのときはフィルム面に相当する。図１５においてＦＰはフレアーカット絞りである。
【００２３】
それぞれの縦収差図は、左から順に、球面収差、非点収差、歪曲、倍率色収差を表している。球面収差と倍率色収差を示す図において、実線のｄはｄ線（５８７．６ｎｍ）、破線のｇはｇ線（４３５．８ｎｍ）を表している。また、非点収差を示す図において、実線のＳはｄ線のサジタル方向ΔＳ、破線のＭはｄ線のメリディオナル方向ΔＭを表している。また、歪曲を示す図は、ｄ線における歪曲を表している。ＦｎｏはＦナンバー、ωは撮影画角の半画角（度）である。
【００２４】
各実施例の光学系ＬＡにおいて、第２レンズ群Ｌ２は負レンズと正レンズとを接合した接合レンズ又は正レンズと負レンズとを接合した接合レンズからなる負レンズユニットＬＮを有している。そして負レンズユニットＬＮを構成する正レンズの材料のアッベ数をνｐ、異常部分分散性をΔθｇＦｐ、負レンズユニットＬＮを構成する負レンズの材料のアッベ数をνｎ、異常部分分散性をΔθｇＦｎ、光学系ＬＡの焦点距離をｆとする。負レンズユニットＬＮの焦点距離をｆｓｇ、異常部分分散性ΔθｇＦはｇ線とＦ線に関する部分分散比をθｇＦとし、
ΔθｇＦ＝θｇＦ−（０．６４３８−０．００１６８２×νｄ）
とする。このとき、
０．７２≦νｐ／νｎ≦１．００                  ・・・（１）
０．００５≦ΔθｇＦｐ−ΔθｇＦｎ≦０．０５０  ・・・（２）
−０．８≦ｆｓｇ／ｆ≦−０．５                  ・・・（３）
なる条件式を満足する。
【００２５】
本発明は、レトロフォーカスタイプの光学系において、開口絞りＳＰより像側にアッベ数が小さく、ｇ線とＦ線の部分分散比θｇＦが大きく、互いに異なる材料よりなる２つのレンズを接合した接合レンズを設けている。これにより短波長側の倍率色収差の曲がりを改善する。それにより、倍率色収差を良好に補正している。
【００２６】
図１５（ａ）は本発明の光学系と比較するためのレトロフォーカスタイプの広角レンズのレンズ断面図である。図１５（ａ）に示すようにレトロフォーカスタイプの広角レンズＬＡは、開口絞りＳＰより像側に物体側から像側へ順に、負レンズＧ２１、正レンズＧ２２、正レンズＧ２３を有している。負レンズＧ２１と正レンズＧ２２はマージナルコンタクトとなることが多い。一方、この様なレンズタイプの広角レンズでは、短波長側の倍率色収差が図１５（ｂ）に示すように曲がることが多い。
【００２７】
図１５（ｃ）は歪曲３次収差係数Ｖと５次収差係数Ｖ＾をそれぞれ各レンズ面と全系でのｇ線とｄ線の差をプロットした説明図である（レンズ設計法  松居直哉著  参照）。図１５（ｃ）より前述のマージナルコンタクトを形成する両レンズ面で歪曲５次収差係数が大きくなっている。ここで、歪曲と歪曲３次収差係数と歪曲５次収差係数の関係は以下の式（Ｘ１）（レンズ設計法  松居直哉著  Ｐ１０２  式（４．２２）参照）より倍率色収差の曲がりがなくなる条件を考える。
【００２８】
【数１】
0006415142.tif 000002
【００２９】
ただし、Ｖ：歪曲３次収差係数  Ｖ＾：歪曲５次収差係数  Ｎ１：最も物体側にある媒質の屈折力  ω：半画角を示している。
【００３０】
これより、像高をｙ、撮影半画角をθ、焦点距離をｆとしたときのｙ＝ｆｔａｎθを考慮して像高ｙにおいてｇ線の倍率色収差の曲がりをなくすためには、ｇ線とｄ線に関する（Ｘ１）式の微分値が等しくなればよい（条件式（Ｘ２））。
【００３１】
【数２】
0006415142.tif 000003
【００３２】
式（Ｘ１）、式（Ｘ２）より
【００３３】
【数３】
0006415142.tif 000004
【００３４】
とまとめることができる。
【００３５】
式（Ｘ３）は歪曲の５次収差係数Ｖ＾の波長ｇ，ｄでの差分と歪曲の３次収差係数Ｖの波長ｇ，ｄでの差分の比が、正負が反対かつ焦点距離ｆと任意像高ｙによって決まるというものである。ここで、例えばｆ＝２４ｍｍ、ｙ＝２０ｍｍであれば式（Ｘ３）は−２．９となればよい。
【００３６】
これを行ったものが、図１６（ａ）に示してある光学系である。この光学系は開口絞りＳＰより像側に、材料のアッベ数の差が比較的少なく、異常部分分散性が大きく異なる負レンズと正レンズを接合した接合レンズを有し、短波長側に効果の大きい負レンズユニットＧ２２ａを有する。更に正レンズＧ２３、正レンズＧ２４を有している。これによって図１６（ｃ）の全系での３次収差係数と５次収差係数の比を略−２．９としている。図１６（ｂ）に倍率色収差を示す。図１６（ｂ）に示すように像高が高い位置での倍率色収差では低次と高次の倍率色収差によって打ち消されている。
【００３７】
このように、開口絞りＳＰより像側に物体側から像側へ順に、負レンズＧ２１、正レンズＧ２２、正レンズＧ２３を有し、負レンズＧ２１と正レンズＧ２２とがマージナルコンタクトとなる光学系は、倍率色収差が像高に対して大きくなる。更に倍率色収差は曲がりをもって発生することが多い。
【００３８】
このような場合は負レンズの材料にアッベ数の差が比較的少なく、異常部分分散性が大きく異なる負レンズを用いるのが良い。そしてこの負レンズと正レンズを接合した接合レンズより負レンズユニットとするのが良い。または正レンズと負レンズを接合した接合レンズよりなる負レンズユニットとするのが良い。これによれば倍率色収差の曲がりを制御することが容易になる。本発明の光学系は前述の如く構成することで色収差を良好に補正し、高い光学性能を得ている。
【００３９】
条件式（１）は、第２レンズ群Ｌ２内の負レンズと正レンズまたは正レンズと負レンズからなる接合レンズ（負レンズユニットＬＮ）を構成する、正レンズと負レンズの材料のアッベ数の比を規定する。条件式（１）の上限を超えると色収差のバランスが大きく発生してしまい光学性能を維持することが困難になる。条件式（１）の下限を超えると、接合レンズ面のパワーが弱くなり短波長側の倍率色収差の曲がりを補整する能力が弱まってしまう。更に好ましくは、条件式（１）の数値を次の如く設定することが好ましい。
【００４０】
０．７８≦νｐ／νｎ≦１．００      ・・・（１ａ）
条件式（２）は、第２レンズ群Ｌ２内の負レンズユニットＬＮを構成する、正レンズと負レンズの材料の異常部分分散性の差分を規定する。条件式（２）の上限を超えると接合レンズ面での短波長側の倍率色収差の補整が過剰になってしまい光学性能が低下する。条件式（２）の下限を超えると、接合レンズ面での短波長側の倍率色収差の補整能力が弱くなってしまい、所望の効果を得ることが困難になる。更に好ましくは、条件式（２）の数値範囲を次の如く設定することが好ましい。
【００４１】
０．００５≦ΔθｇＦｐ−ΔθｇＦｎ≦０．０３０    ・・・（２ａ）
条件式（２ａ）は、より効果を発揮するには、次の如く設定することが好ましい。
【００４２】
０．００５≦ΔθｇＦｐ−ΔθｇＦｎ≦０．０２０    ・・・（２ｂ）
条件式（３）は、第２レンズ群Ｌ２内の負レンズユニットＬＮのパワーを規定する。条件式（３）の上限を超えると負レンズユニットＬＮの短波長側の倍率色収差の補整が過剰になってしまい色収差が低下し光学性能が低下する。条件式（３）の下限を超えると、負レンズユニットＬＮでの短波長側の倍率色収差の補整能力が弱くなってしまい、所望の効果を得ることが困難になる。更に好ましくは、条件式（３）の数値範囲を次の如く設定することが好ましい。
【００４３】
−０．８０≦ｆｓｇ／ｆ≦−０．５６      ・・・（３ａ）
各実施例では、負レンズユニットＬＮの像側に、単一レンズ又は接合レンズよりなる第１正レンズユニット、及び単一レンズ又は接合レンズよりなる第２正レンズユニットを有する。
【００４４】
負レンズユニットＬＮと第１正レンズユニットはマージナルコンタクトされている。負レンズユニットＬＮの像側のレンズ面の曲率半径をＲ１ａ、第１正レンズユニットの物体側のレンズ面の曲率半径をＲ２ａとする。このとき、
｜Ｒ１ａ／Ｒ２ａ｜≦１．７      ・・・（４）
なる条件式を満足する。
【００４５】
条件式（４）は、第２レンズ群Ｌ２内の負レンズユニットと第１正レンズユニットが構成する空気レンズの形状を規定する。条件式（４）の上限を超えるとマージナルコンタクトを形成する前後のレンズ面のパワーが強くなり短波長側の倍率色収差の曲がりが発生、また非点収差等も発生し光学性能を良好に維持することが困難になる。更に好ましくは、条件式（４）の数値範囲を次の如く設定することが好ましい。
【００４６】
０．１０≦｜Ｒ１ａ／Ｒ２ａ｜≦１．５５      ・・・（４ａ）
以上のように各実施例ではレトロフォーカス型の光学系において、開口絞りＳＰより像側に比較的アッベ数は近く、ｇ線とＦ線の部分分散比が大きく異なる負レンズユニットＬＮを設けている。これにより短波長側の倍率色収差の曲がりを改善している。それにより、倍率色収差の残存収差を格段に減少させ、高い光学性能を有する光学系を得ている。
【００４７】
各実施例において負レンズユニットＬＮを構成するレンズの材料はガラス材でも樹脂でも良い。各実施例において、第１レンズ群Ｌ１は物体側から像側へ順に配置された次のレンズより構成される。即ち正レンズ、負レンズ、正レンズ、負レンズ、正レンズ、負レンズから構成される。
【００４８】
又は第１レンズ群Ｌ１は物体側から像側へ順に、負レンズ、正レンズ、負レンズ、正レンズ、負レンズから構成される。又は第１レンズ群Ｌ１は物体側から像側へ順に、負レンズ、正レンズと負レンズを接合した接合レンズから構成される。又は第１レンズ群Ｌ１は物体側から像側へ順に、負レンズ、正レンズ、負レンズ、正レンズ、負レンズと正レンズを接合した接合レンズから構成される。又、各実施例において、第２レンズ群Ｌ２は物体側から像側へ順に、配置された次のレンズより構成される。即ち正レンズ、負レンズと正レンズを接合した接合レンズ、物体側が凹でメニスカス形状の正レンズ、正レンズから構成される。
【００４９】
又は、第２レンズ群Ｌ２は物体側から像側へ順に、負レンズと正レンズを接合した接合レンズ、負レンズと正レンズを接合した接合レンズ、正レンズから構成される。又は第２レンズ群Ｌ２は物体側から像側へ順に、正レンズ、正レンズと負レンズを接合した接合レンズ、物体側が凹でメニスカス形状の正レンズ、正レンズから構成される。
【００５０】
次に各実施例の第１レンズ群Ｌ１と第２レンズ群Ｌ２の具体的なレンズ構成について説明する。実施例１の光学系は、物体側から像側へ順に、負の屈折力の第１レンズ群Ｌ１、開口絞りＳＰ、正の屈折力の第２レンズ群Ｌ２から構成されている。第１レンズ群Ｌ１は、物体側から像側へ順に、次のとおりである。物体側が凸形状の正レンズ、物体側が凸でメニスカス形状の負レンズ、両凸形状の正レンズ、物体側が凸でメニスカス形状の負レンズ、両凸形状の正レンズ、像側が凸でメニスカス形状の負レンズから構成されている。開口絞りＳＰより像側の第２レンズ群Ｌ２は、物体側から像側へ順に、次のとおりである。
【００５１】
両凸形状の正レンズ、負レンズと正レンズを接合した接合レンズ、物体側が凹でメニスカス形状の正レンズ、正レンズから構成されている。
【００５２】
実施例２の光学系において各レンズ群の屈折力配置及び開口絞りＳＰの位置は実施例１と同じである。第１レンズ群Ｌ１は、物体側から像側へ順に、次のとおりである。物体側が凸形状の正レンズ、物体側が凸でメニスカス形状の負レンズ、両凸形状の正レンズ、物体側が凸でメニスカス形状の負レンズ、両凸形状の正レンズ、像側が凹でメニスカス形状の負レンズから構成されている。開口絞りＳＰより像側の第２レンズ群Ｌ２のレンズ構成は実施例１と同じである。
【００５３】
実施例３の光学系において各レンズ群の屈折力配置及び開口絞りＳＰの位置は実施例１と同じである。第１レンズ群Ｌ１は、物体側から像側へ順に、次のとおりである。物体側が凸形状の正レンズ、物体側が凸でメニスカス形状の負レンズ、両凸形状の正レンズ、物体側が凸でメニスカス形状の負レンズ、両凸形状の正レンズ、像側が凹でメニスカス形状の負レンズから構成されている。開口絞りＳＰより像側の第２レンズ群Ｌ２のレンズ構成は実施例１と同じである。
【００５４】
実施例４の光学系において各レンズ群の屈折力配置及び開口絞りＳＰの位置は、実施例１と同じである。第１レンズ群Ｌ１は、物体側から像側へ順に次のとおりである。物体側が凸でメニスカス形状の負レンズ、両凸形状の正レンズ、物体側が凸でメニスカス形状の負レンズ、両凸形状の正レンズ、像側が凸でメニスカス形状の負レンズから構成されている。開口絞りＳＰより像側にある第２レンズ群Ｌ２のレンズ構成は実施例１と同じである。
【００５５】
実施例５の光学系は、物体側から像側へ順に、正の屈折力の第１レンズ群Ｌ１、開口絞りＳＰ、正の屈折力の第２レンズ群Ｌ２より構成されている。
【００５６】
第１レンズ群Ｌ１は、物体側から像側へ順に次のとおりである。物体側が凸でメニスカス形状の負レンズ、正レンズと負レンズを接合した接合レンズから構成されている。開口絞りＳＰより像側にある第２レンズ群Ｌ２は、物体側から像側へ順に次のとおりである。負レンズと正レンズを接合した接合レンズ、負レンズと正レンズを接合した接合レンズ、両凸形状の正レンズから構成される。
【００５７】
実施例６の光学系において各レンズ群の屈折力配置及び開口絞りＳＰの位置は実施例５と同じである。第１レンズ群Ｌ１は、物体側から像側へ順に次のとおりである。物体側が凸でメニスカス形状の負レンズ、両凸形状の正レンズ、両凹形状の負レンズ、両凸形状の正レンズ、負レンズと正レンズを接合した接合レンズから構成されている。開口絞りＳＰより像側にある第２レンズ群Ｌ２のレンズ構成は実施例１と同じである。
【００５８】
実施例７の光学系において各レンズ群の屈折力配置、及び開口絞りＳＰの位置は実施例１と同じである。第１レンズ群Ｌ１のレンズ構成は実施例１と同じである。開口絞りＳＰより像側にある第２レンズ群Ｌ２は、物体側から像側へ順に次のとおりである。両凸形状の正レンズ、正レンズと負レンズを接合した接合レンズ、物体側が凹でメニスカス形状の正レンズ、正レンズから構成される。
【００５９】
図１７は各実施例の光学系を用いたデジタルスチルカメラの要部概略図である。図１７において２０はカメラ本体、２１は各実施例で説明したいずれかの光学系によって構成された撮影光学系である。２２はカメラ本体２０に内蔵され、撮影光学系２１によって形成された被写体像を受光するＣＣＤセンサやＣＭＯＳセンサ等の固体撮像素子（光電変換素子）である。
【００６０】
本実施例ではクイックリターンミラーのある一眼レフカメラやクイックリターンミラーのないミラーレスの一眼レフカメラ、そしてレンズシャッターカメラ等の撮像装置等に適用できる。この他、プロジェクター等の光学機器にも同様に適用することができる。
【００６１】
以下に、実施例１〜７に各々対応する数値実施例１〜７を示す。各数値実施例において、ｉは物体側からの順番を示し、ｒｉは各面の曲率半径、ｄｉは第ｉ面と第ｉ＋１面との間の部材肉厚又は空気間隔、ｎｄｉとνｄｉはそれぞれｄ線に対する屈折率、アッベ数を示す。ＢＦはバックフォーカスであり最終レンズ面から像面までの距離である。
【００６２】
(数値実施例１)
単位 mm 
面データ
面番号       r        d      nd         νd       有効径
1        109.958    3.55   1.51633    64.1       42.70 
2       3199.111    0.10                         40.88 
3         83.973    1.30   1.59522    67.7       35.99 
4         18.954    4.19                         28.08 
5         43.283    3.67   1.51633    64.1       27.81 
6       -882.410    4.70                         26.63 
7         33.350    0.90   1.59522    67.7       16.80 
8         10.118    3.10                         13.83 
9         43.024    3.08   1.74950    35.3       13.13 
10       -156.256    0.50                         11.68 
11        -84.624    8.24   1.76182    26.5       11.31 
12        -99.021    1.00                         13.18 
13(絞り)    ∞       1.00                         13.55 
14        100.462    7.37   1.81600    46.6       13.92 
15        -18.742    1.59                         14.49 
16        -22.434    0.80   1.80518    25.4       13.38 
17         15.184    2.16   1.80809    22.8       13.75 
18         40.066    1.38                         14.39 
19        -44.734    2.25   1.69680    55.5       14.61 
20        -20.085    0.15                         15.87 
21      -3928.597    3.08   1.59282    68.6       17.94 
22        -26.351   38.04                         18.84 
像面        ∞    
【００６３】
各種データ
焦点距離      24.50  
Fナンバー      2.86  
半画角（度）  41.45  
像高          21.64  
レンズ全長    92.15  
BF            38.04  
入射瞳位置    20.39  
射出瞳位置   -21.13  
前側主点位置  34.74  
後側主点位置  13.54  
レンズ群データ
群  始面    焦点距離  レンズ構成長  前側主点位置  後側主点位置
1    1     -43.29        33.32         5.97        -20.61
2   13      27.18        19.78        10.31         -4.52
単レンズデータ
レンズ  始面  焦点距離
1       1    220.46 
2       3    -41.44 
3       5     80.02 
4       7    -24.76 
5       9     45.31 
6      11  -1015.33 
7      14     19.91 
8      16    -11.14 
9      17     29.13 
10      19     50.42 
11      21     44.74 
【００６４】
（数値実施例２）
単位 mm 
面データ
面番号       r        d      nd         νd       有効径
1        116.520    3.95   1.51633    64.1       42.34 
2     -14258.963    0.10                         39.97 
3         82.458    1.30   1.59522    67.7       35.07 
4         18.397    5.26                         27.32 
5         84.116    2.92   1.51633    64.1       27.03 
6       -158.001    4.70                         26.03 
7         72.333    0.90   1.59522    67.7       17.46 
8         11.751    2.33                         14.70 
9         34.094    3.77   1.74950    35.3       14.39 
10       -504.438    0.53                         12.84 
11        353.782    9.91   1.75520    27.5       12.21 
12        147.728    1.14                         13.64 
13(絞り)    ∞       1.00                         14.02 
14         26.268    4.21   1.67790    55.3       14.82 
15        -19.396    2.06                         14.79 
16        -17.784    0.73   1.74950    35.3       13.30 
17         18.000    1.55   1.74950    35.3       13.33 
18         29.639    1.25                         13.34 
19        -59.498    2.43   1.59282    68.6       13.38 
20        -17.358    0.32                         14.44 
21       -369.332    2.96   1.59282    68.6       16.62 
22        -23.379   38.02                         17.56 
像面        ∞   
【００６５】
各種データ
焦点距離      24.50  
Fナンバー      2.86  
半画角（度）  41.45  
像高          21.64  
レンズ全長    91.34  
BF            38.02  
入射瞳位置    20.49  
射出瞳位置   -18.15  
前側主点位置  34.31  
後側主点位置  13.52  
レンズ群データ
群  始面    焦点距離  レンズ構成長  前側主点位置  後側主点位置
1    1     -30.12        35.68         9.74        -15.59
2   13      24.56        16.50         7.90         -6.51
単レンズデータ
レンズ  始面  焦点距離
1       1    223.86 
2       3    -40.09 
3       5    106.75  
4       7    -23.70 
5       9     42.74 
6      11   -342.95 
7      14     17.10 
8      16    -11.83 
9      17     57.86 
10      19     40.47 
11      21     41.97 
【００６６】
(数値実施例３)
単位 mm 
面データ
面番号       r        d      nd         νd       有効径
1        111.058    3.87   1.51633    64.1       42.69 
2      -1161.681    0.10                         40.75 
3         80.808    1.30   1.59522    67.7       35.06 
4         18.000    5.34                         27.04 
5         85.605    2.75   1.51633    64.1       26.74 
6       -200.052    4.70                         25.72 
7        189.224    0.90   1.59522    67.7       17.76 
8         12.712    2.99                         15.05 
9         32.286    4.01   1.74950    35.3       14.33 
10       -123.628    0.61                         12.79 
11        351.950    9.60   1.75520    27.5       12.47 
12        107.959    1.00                         13.74 
13(絞り)    ∞       1.00                         14.00 
14         23.099    4.27   1.56907    71.3       14.73 
15        -18.114    1.98                         14.66 
16        -16.301    0.70   1.65412    39.7       13.30 
17         22.000    1.23   1.59551    39.2       13.33 
18         28.094    1.28                         13.37 
19        -61.127    2.39   1.59282    68.6       13.41 
20        -17.946    0.15                         14.45 
21       3033.223    2.93   1.59282    68.6       16.49 
22        -24.969   38.01                         17.42 
像面        ∞   
【００６７】
各種データ
焦点距離      24.50  
Fナンバー      2.86  
半画角（度）  41.45  
像高          21.64  
レンズ全長    91.13  
BF            38.01  
入射瞳位置    20.51  
射出瞳位置   -17.73  
前側主点位置  34.24  
後側主点位置  13.51  
レンズ群データ
群  始面    焦点距離  レンズ構成長  前側主点位置  後側主点位置
1    1     -34.31        36.18         8.22        -18.14
2   13      25.64        15.94         8.08         -5.93
単レンズデータ
レンズ  始面  焦点距離
1       1    196.53 
2       3    -39.21 
3       5    116.49 
4       7    -22.94 
5       9     34.54 
6      11   -209.76 
7      14     18.54 
8      16    -14.21 
9      17    158.36 
10      19     41.99 
11      21     41.79 
【００６８】
（数値実施例４）
単位 mm 
面データ
面番号       r        d      nd         νd       有効径
1        130.274    1.49   1.59522    67.7       40.29 
2         25.550    3.13                         33.87 
3         41.730    6.40   1.51633    64.1       33.71 
4        -90.455    5.37                         32.74 
5         59.607    1.03   1.59522    67.7       20.12 
6         11.734    4.24                         16.42 
7         35.285    3.70   1.74950    35.3       15.35 
8       -109.611    0.50                         13.92 
9        -50.738    7.63   1.76182    26.5       13.60 
10       -102.453    2.67                         14.24 
11(絞り)    ∞       1.05                         14.94 
12         58.529    4.41   1.81600    46.6       15.30 
13        -23.507    2.34                         15.33 
14        -23.920    1.13   1.80518    25.4       13.77 
15         14.266    2.23   1.80809    22.8       13.79 
16         36.829    1.90                         14.37 
17        -37.219    2.83   1.69680    55.5       15.05 
18        -20.144    0.15                         16.87 
19        681.181    3.25   1.59282    68.6       19.19 
20        -28.427   39.30                         20.05 
像面        ∞   
【００６９】
各種データ
焦点距離      28.00 
Fナンバー      2.86  
半画角（度）  37.69  
像高          21.64  
レンズ全長    94.73  
BF            39.30  
入射瞳位置    21.35  
射出瞳位置   -21.09  
前側主点位置  36.36  
後側主点位置  11.30  
レンズ群データ
群  始面    焦点距離  レンズ構成長  前側主点位置  後側主点位置
1    1     -60.86        33.48         2.53        -24.56
2   11      30.97        19.28        10.18         -5.92
単レンズデータ
レンズ  始面  焦点距離
1       1    -53.68 
2       3     56.23 
3       5    -24.74 
4       7     36.01 
5       9   -140.94 
6      12     21.06 
7      14    -10.95 
8      15     27.60 
9      17     59.00 
10      19     46.11 
【００７０】
(数値実施例５)
単位 mm 
面データ
面番号       r        d      nd         νd       有効径
1         42.046    1.50   1.59282    68.6       38.56 
2         19.046   21.03                         32.03 
3         34.226    7.38   1.77250    49.6       26.02 
4        -28.087    3.37   1.59270    35.3       24.92 
5       -331.496    7.90                         22.83 
6(絞り)    ∞       2.23                         18.82 
7        -26.067    1.00   1.61340    44.3       18.57 
8         16.000    3.32   1.59270    35.3       18.60 
9         53.595    1.03                         18.63 
10       -484.125    0.97   1.80518    25.4       18.66 
11         35.566    3.93   1.59282    68.6       19.03 
12        -29.109    0.15                         19.28 
13         74.714    3.84   1.81600    46.6       20.35 
14        -56.799   36.03                         21.41 
像面        ∞   
【００７１】
各種データ
焦点距離      35.00  
Fナンバー      2.00  
半画角（度）  31.72  
像高          21.64  
レンズ全長    93.66  
BF            36.03  
入射瞳位置    26.81  
射出瞳位置   -16.84  
前側主点位置  38.65  
後側主点位置   1.03  
レンズ群データ
群  始面    焦点距離  レンズ構成長  前側主点位置  後側主点位置
1    1      41.77        33.27        28.59          9.76
2    7      86.89        16.45        26.82         21.95
単レンズデータ
レンズ  始面  焦点距離
1       1    -60.19 
2       3     21.06 
3       4    -51.99 
4       7    -16.02 
5       8     37.26 
6      10    -41.11 
7      11     27.63 
8      13     40.07
【００７２】
(数値実施例６)
単位 mm 
面データ
面番号       r        d      nd         νd       有効径
1        104.922    2.00   1.59270    35.3       49.85 
2         37.065    5.72                         44.01 
3        127.780    5.10   1.83481    42.7       43.77 
4       -171.330    9.39                        42.81 
5*      -118.668    1.50   1.58313    59.4       28.90 
6*        19.438    5.64                         24.57 
7         27.306   10.49   1.81600    46.6       23.68 
8        -97.899    4.41                         22.30 
9        -62.080    1.00   1.59551    39.2       21.18 
10         46.101    2.77   1.83481    42.7       21.07 
11        141.972    2.72                         20.89 
12(絞り)    ∞       2.15                         20.78 
13         78.627    3.37   1.72916    54.7       20.64 
14        -39.739    3.52                         20.46 
15        -20.073    0.90   1.80000    29.8       18.69 
16         30.000    3.09   1.80518    25.4       19.33 
17         90.704    1.39                         19.60 
18        -59.507    4.20   1.59282    68.6       19.62 
19        -20.062    0.15                         20.48 
20         72.420    5.06   1.59282    68.6       25.06 
21        -47.316    38.3                         26.09 
像面        ∞   
【００７３】
非球面データ
第5面
K = 0.00000e+000  A 4= 1.04381e-008  A 6= 3.85467e-010  A 8= 2.75687e-014  A10=-1.31200e-015  A12=-2.54756e-017  
第6面
K = 1.97003e-002  A 4=-2.14590e-006  A 6=-5.64301e-008  A 8= 4.71790e-010  A10=-2.72648e-012  A12= 4.80763e-015  
各種データ
焦点距離      35.11  
Fナンバー      2.05  
半画角（度）  31.64  
像高          21.64  
レンズ全長   112.89  
BF            38.30  
入射瞳位置    33.35  
射出瞳位置   -30.65  
前側主点位置  50.59  
後側主点位置   3.20  
レンズ群データ
群  始面    焦点距離  レンズ構成長  前側主点位置  後側主点位置
1    1     1500.41        49.54       240.72        241.32
2   15       41.26        23.83        16.91         -1.99
単レンズデータ
レンズ  始面  焦点距離
1       1    -97.77 
2       3     88.36 
3       5    -28.53 
4       7     27.19 
5       9    -44.27 
6      10     80.72 
7      13     36.64 
8      15    -14.91 
9      16     54.43 
10      18     49.11 
11      20     49.05 
【００７４】
(数値実施例７)
単位 mm 
面データ
面番号       r        d      nd         νd       有効径
1        134.144    3.88   1.51633    64.1       41.98 
2       -976.721    0.10                         39.64 
3         78.860    1.30   1.59522    67.7       34.29 
4         17.628    4.61                         26.56 
5         51.964    3.19   1.51633    64.1       26.29 
6       -359.345    4.70                         25.22 
7         43.585    0.90   1.59522    67.7       16.50 
8         10.512    2.44                         13.76 
9         37.499    3.79   1.74950    35.3       13.44 
10        -85.674    0.50                         11.84 
11        -87.022    8.57   1.76182    26.5       11.71 
12       -106.727    1.00                         13.66 
13(絞り)    ∞       1.00                         14.03 
14        109.830    5.25   1.81600    46.6       14.40 
15        -18.392    1.29                         14.77 
16        -24.621    2.25   1.80809    22.8       13.69 
17        -12.000    3.16   1.80518    25.4       13.65 
18         34.666    1.34                         14.10 
19        -56.320    2.03   1.69680    55.5       14.37 
20        -24.467    0.15                         15.57 
21     -18183.106    3.14   1.59282    68.6       17.32 
22        -24.128   38.03                         18.26 
像面        ∞   
各種データ
【００７５】
焦点距離      24.50  
Fナンバー      2.86  
半画角（度）  41.45  
像高          21.64  
レンズ全長    92.61  
BF            38.03  
入射瞳位置    19.82  
射出瞳位置   -20.06  
前側主点位置  33.99  
後側主点位置  13.53  
ズームレンズ群データ
群  始面    焦点距離  レンズ構成長  前側主点位置  後側主点位置
1    1     -46.46        33.97         3.56        -24.02
2   13      28.08        19.61         9.86         -4.87
単レンズデータ
レンズ  始面  焦点距離
1       1    228.70 
2       3    -38.45 
3       5     88.16 
4       7    -23.51 
5       9     35.27 
6      11   -762.00 
7      14     19.67 
8      16     26.83 
9      17    -10.75 
10      19     60.50 
11      21     40.75 
【００７６】
【表１】
0006415142.tif 000005
【符号の説明】
【００７７】
Ｌ１  第１レンズ群      Ｌ２  第２レンズ群      ＳＰ  開口絞り
【図１】
0006415142.tif 000006
【図２】
0006415142.tif 000007
【図３】
0006415142.tif 000008
【図４】
0006415142.tif 000009
【図５】
0006415142.tif 000010
【図６】
0006415142.tif 000011
【図７】
0006415142.tif 000012
【図８】
0006415142.tif 000013
【図９】
0006415142.tif 000014
【図１０】
0006415142.tif 000015
【図１１】
0006415142.tif 000016
【図１２】
0006415142.tif 000017
【図１３】
0006415142.tif 000018
【図１４】
0006415142.tif 000019
【図１５】
0006415142.tif 000020
【図１６】
0006415142.tif 000021
【図１７】
0006415142.tif 000022